(57)【要約】【課題】液状流体を収容した収容体の開口部を、容易に、開口させ、かつ、漏れを防止可能な水密性を確保して、塞ぐことができる封止構造を提供すること。【解決手段】封止構造Ｓは、液状流体９を収容した収容体１が、可撓性を有した周壁２から形成されて、収容体における収容した液状流体を取り出す開口部５を、開口可能に塞ぐ。封止構造は、開口部を挟持可能な面ファスナ部１２を備え、面ファスナ部が、開口部を閉じるように開口部の周壁を重ねて平らに展開させた重なり部位７を、全長にわたって水密性を有して挟持するように押圧可能な一対の押圧面部１３，１３、を備える。一対の押圧面部１３は、相互の対向面１９ａを略平らにして相互に吸着可能な磁石１９と、磁石相互を離隔可能に把持する把持部１８と、を、それぞれ、備えて構成されるとともに、相互に分離不能に、連結部２１により連結されて、構成されている。【選択図】図３
0003189003.tif 000002
【実用新案登録請求の範囲】
【請求項１】
液状流体を収容した収容体が、可撓性を有した周壁から形成されて、
前記収容体における収容した前記液状流体を取り出す開口部を、開口可能に塞ぐ封止構造であって、
前記開口部を挟持可能な面ファスナ部を備え、
該面ファスナ部が、前記開口部を閉じるように前記開口部の周壁を重ねて平らに展開させた重なり部位を、全長にわたって水密性を有して挟持するように押圧可能な一対の押圧面部、を備え、
該一対の押圧面部が、
相互の対向面を略平らにして相互に吸着可能な磁石と、該磁石相互を離隔可能に把持する把持部と、を、それぞれ、備えて構成されるとともに、
相互に分離不能に、連結部により連結されて、構成されていることを特徴とする封止構造。
【請求項２】
前記連結部が、前記開口部側を露出可能として、前記収容体を収納可能な収納袋体から構成され、
該収納袋体の底部が、前記収容体を収納した状態で、載置面に載置させて前記収納袋体を自立可能に、構成されていることを特徴とする請求項１に記載の封止構造。
【請求項３】
前記収納袋体が、底部側にまちを設けて、前記開口部側を除く外周縁を、相互に接着させた二枚のシート材から、構成され、
前記まちの周囲の周壁の下端側が、前記収容体を収納した状態で前記載置面に載置する際に、前記載置面に当接支持される脚部、を形成するように、構成されていることを特徴とする請求項２に記載の封止構造。
【請求項４】
前記収納袋体が、側部に、取手を配設して構成されていることを特徴とする請求項２若しくは請求項３に記載の封止構造。
【請求項５】
前記連結部が、前記収容体から離れつつ前記重なり部位を覆う位置に、配置されるように構成されて、前記一対の押圧面部とともに、クリップとして形成されていることを特徴とする請求項１に記載の封止構造。
【請求項６】
前記一対の押圧面部が、それぞれ、前記磁石と、前記磁石を固着させたシート状の保持シート部と、から構成され、
前記保持シート部が、相互に対向する対向面から前記連結部に連なる部位の対向面部と、該対向面部の縁から延びて前記把持部を形成する把持形成部と、を備えて構成され、
前記磁石が、前記対向面部における前記対向面の背面側に、固着されていることを特徴とする請求項１若しくは請求項５に記載の封止構造。
【考案の詳細な説明】
【技術分野】
【０００１】
本考案は、液状流体を収容した収容体における液状流体を取り出す開口部を、開口可能として、水密性を確保して塞ぐ封止構造に関する。
【背景技術】
【０００２】
従来、収容物を収容した袋体の開口部を、開口可能として、水密性を確保して塞ぐ封止構造としては、磁石を利用したものが、知られていた（例えば、特許文献１参照）。この封止構造では、防水袋の開口周縁に、相互に吸着する平面状の磁石を設け、それらの磁石を相互に吸着させて、開口部を塞いでいた。
【０００３】
なお、磁石を利用して袋状の開口部を塞ぐものとしては、他に、枕カバーが知られている（例えば、特許文献２参照）。しかし、この枕カバーでは、断続的に、相互に吸着する磁石が配設されており、水密性を確保して、開口部を塞ぐことができなかった。
【先行技術文献】
【特許文献】
【０００４】
【特許文献１】特開平５−５６８０９号公報
【特許文献２】実開昭６４−３９０６３号公報
【考案の概要】
【考案が解決しようとする課題】
【０００５】
従来の特許文献１に記載の封止構造では、収納した袋体の内部に、水が浸入しないように構成した、防水袋であり、磁石を利用した封止部位を、さらに、面ファスナ等を利用したフラップで覆っており、収納した内容物を取り出す際に、フラップを取り外し、そして、相互の吸着している磁石を離さないと、内容物を取り出せず、手間がかかっていた。
【０００６】
さらに、従来の特許文献１に記載の封止構造では、袋体の内部に、液状のものを入れ、その液状の内容物が外部に漏れないように、開口部を封止するものでなかった。すなわち、磁石が、袋体の外周側から、開口部の周壁の全長を奇麗に押圧して、開口部を塞いでいるわけではなく、開口部の周縁を袋体の内部に入れ込んで、開口部を塞いでいるものであり、磁石の無い開口部の両脇では、水密性が十分で無く、袋体に内部に液体を入れて、その袋体を傾ければ、その液体が漏れてしまう。
【０００７】
本考案は、上述の課題を解決するものであり、液状流体を収容した収容体の開口部を、容易に、開口させ、かつ、漏れを防止可能な水密性を確保して、塞ぐことができる封止構造を提供することを目的とする。
【課題を解決するための手段】
【０００８】
本考案に係る封止構造は、液状流体を収容した収容体が、可撓性を有した周壁から形成されて、
収容体における収容した液状流体を取り出す開口部を、開口可能に塞ぐ封止構造であって、
開口部を挟持可能な面ファスナ部を備え、
面ファスナ部が、開口部を閉じるように開口部の周壁を重ねて平らに展開させた重なり部位を、全長にわたって水密性を有して挟持するように押圧可能な一対の押圧面部、を備え、
一対の押圧面部が、
相互の対向面を略平らにして相互に吸着可能な磁石と、磁石相互を離隔可能に把持する把持部と、を、それぞれ、備えて構成されるとともに、
相互に分離不能に、連結部により連結されて、構成されていることを特徴とする。
【０００９】
本考案に係る封止構造では、液状流体を収容した収容体の開口部を塞ぐ際、その開口部の周壁を重ねて平らに展開させた重なり部位を形成し、重なり部位を挟持するように、重なり部位を間にして、面ファスナ部の一対の押圧面部の磁石相互を吸着させれば、収容体の開口部を、水密性を確保して、塞ぐことができる。すなわち、一対の押圧面部が、開口部の重なり部位を挟持すれば、相互の対向面を略平らにした磁石相互を吸着させつつ、かつ、開口部の重なり部位を、全長にわたって挟持するように押圧することから、容易に、傾けた開口部からの液状流体の漏れを防止できる水密性を確保して、開口部を塞ぐことができる。
【００１０】
また、開口部を開口させる際には、単に、吸着させた磁石相互を離すように、把持部を把持して引っ張れば、一対の押圧面部を開口部から外すことができて、容易に、開口部を開口させることができる。
【００１１】
そして、この封止構造では、一対の押圧面部が、分離不能に連結部により連結されていることから、紛失され難く、面ファスナ部を便利に使用することができる。
【００１２】
したがって、本考案に係る封止構造では、液状流体を収容した収容体の開口部を、容易に、開口させ、かつ、漏れを防止可能な水密性を確保して、塞ぐことができる。
【００１３】
なお、本考案の収容体に収容される液状流体は、完全な液体ばかりでなく、流動性を有したものであればよく、コロイド、粉体、顆粒、さらに、これらの混合物でもよい。
【００１４】
そして、本考案に係る封止構造では、連結部を、開口部側を露出可能として、収容体を収納可能な収納袋体から構成してもよく、その場合、収納袋体の底部を、収容体を収納した状態で、載置面に載置させて収納袋体を自立可能に、構成すれば、収容体の開口部を面ファスナ部で塞ぎつつ、液状流体を収容した収容体を収納袋体に収納させた状態で、収納袋体を所定の載置面に自立させて載置できる。そのため、液状流体を収容した収容体が、可撓性を有した周壁から形成されて、自立できない状態としていても、収納袋体を利用し、開口部側を上部側に向けて、倒さずに、自立させておくことができ、開口部からの不要な液状流体の漏れを、防止することができる。
【００１５】
この場合、収納袋体は、底部側にまちを設けて、開口部側を除く外周縁を、相互に接着させた二枚のシート材から、構成し、まちの周囲の周壁の下端側を、収容体を収納した状態で載置面に載置する際に、載置面に当接支持される脚部、として形成されるように、構成することが望ましい。このような構成では、まちを折り畳みつつ、二枚のシート材を重ねれば、収納袋体を、平らにして、収納しておくことができて、コンパクトに収納することができる。
【００１６】
また、上記のように、面ファスナ部を有した収納袋体では、側部に取手を設けておけば、一層、利便性良く、利用することができる。すなわち、例えば、液状流体を開口部からコップへ注ぐようにする際、取手を持って行うことができ、収納袋体を、液状流体を貯めたポット、サーバ、やかん、つぼ等のように、便利に利用できる。
【００１７】
さらに、本考案の封止構造では、連結部を、収容体から離れつつ重なり部位を覆う位置に、配置されるように構成すれば、この構造体を、一対の押圧面部とともに、クリップとして使用することも可能となる。
【００１８】
また、本考案に係る封止構造では、一対の押圧面部を、それぞれ、磁石と、磁石を固着させたシート状の保持シート部と、から構成し、
保持シート部を、相互に対向する対向面から連結部に連なる部位の対向面部と、対向面部の縁から延びて把持部を形成する把持形成部と、を設けて構成し、
磁石を、対向面部における対向面の背面側に、固着させることが望ましい。
【００１９】
このような構成では、保持シート部の対向面部が、開口部の重なり部位に対して、直接、接触しつつ、対向面部の背面側の磁石の磁力を利用して、押圧でき、磁石に比べて、広い面積で平面度を確保した状態で、開口部の重なり部位を押圧できて、安定した水密性を確保できる。また、把持形成部からなる把持部を把持して、吸着状態の磁石相互を離す際、磁石の周囲の対向面部の部位から、順次、離すことができて、磁石が強力な磁力を有していても、円滑に、磁石とともに、一対の押圧面部を相互に離して、収容体の開口部を開口させることができる。
【図面の簡単な説明】
【００２０】
【図１】本考案の第１実施形態の封止構造を設けた収納袋体の使用状態を示す正面図である。
【図２】図１のII−II部位の断面図である。
【図３】図１のIII−III部位の拡大断面図である。
【図４】図１のIV−IV部位の拡大断面図である。
【図５】第１実施形態の収納袋体に収容体を収納させる状態を示す斜視図である。
【図６】第１実施形態の収納袋体の変形例を示す斜視図である。
【図７】第２実施形態の封止構造を設けたクリップの使用状態を示す正面部である。
【図８】図７のVIII−VIII部位の拡大断面図である。
【図９】第２実施形態のクリップの斜視図である。
【図１０】面ファスナ部の変形例を示す断面図である。
【考案を実施するための形態】
【００２１】
以下、本考案の一実施形態を図面に基づいて説明すると、第１実施形態の封止構造Ｓは、図１〜５に示すように、液状流体としての飲料水９を収容した収容体１を収納して自立可能な収納スタンド１１に、配設されている。
【００２２】
収容体１は、ポリエチレンやポリアミド等の可撓性を有した合成樹脂シートからなる周壁２を、飲料水９を収容しつつ、パウチ加工して、棒状の袋状に形成されている。この収容体１には、上部側の縁に、ニップル部４を備え、ニップル部４の端末４ａ側を切除すれば、飲料水９を取り出す開口部５を形成することができる。
【００２３】
収納スタンド１１の封止構造Ｓの面ファスナ部１２は、開口部５を挟持可能として、開口部５を閉じるように開口部５の周壁６を重ねて平らに展開させた重なり部位７を、全長にわたって水密性を有して挟持するように押圧可能な一対の押圧面部１３，１３、を備えて構成されている。
【００２４】
一対の押圧面部１３，１３は、相互の対向面１９ａを平らにして相互に吸着可能な磁石１９，１９と、磁石１９，１９相互を離隔可能に把持する把持部１８，１８と、を、それぞれ、備えて構成されている。さらに、これらの押圧面部１３，１３は、相互に分離不能に、連結部２１により連結されている。
【００２５】
第１実施形態の場合、連結部２１は、開口部５側を露出可能に、上部側に開口２２ａを設けて、収容体１を収納可能な収納袋体２２として、形成されている。この収納袋体２２は、ポリエチレン等の合成樹脂製の二枚の略長方形板状の側壁シート材２３，２３を、開口部５側となる上部側を除き、かつ、底部２２ｂ側に、まち２５を設けるように、折り曲げた底壁シート材２４を介在させつつ、外周縁相互を、熱溶着させて、形成されている。
【００２６】
底壁シート材２４は、側壁シート材２３に比べて、柔らかいポリアミド等の合成樹脂から形成されている。この底壁シート材２４は、平らに展開させた形状を長方形状として、左右方向に折目２４ａ（図５のＡ参照）を入れて、底部２２ｂ側の対応する側壁シート材２３，２３の部位相互の間に入れ、まち２５となる部位を除いて、重なっている側壁シート材２３，２３の部位に、溶着させて、配設されている。
【００２７】
この収納袋体２２では、内部に収容体１を入れれば、まち２５が広がり、まち２５の周囲の周壁の下端側が、側壁シート材２３の剛性により、楕円筒状の脚部２６となって、所定の載置面Ｇの上に載せても、自立できるように、すなわち、収納スタンド１１として、収納袋体２２を利用できるように、構成されている。
【００２８】
また、第１実施形態の収納袋体２２では、側壁シート材２３，２３相互を溶着した側部に、上下方向に長い取手用開口２８が形成されて、その取手用開口２８の外縁側に、収容体１を収納した収納袋体２２を保持して、開口部５から飲料水９をコップ等に注ぎ可能な取手２７を、形成している。
【００２９】
そして、面ファスナ部１２の一対の押圧面部１３，１３は、それぞれ、磁石１９と、磁石１９を固着させたシート状の保持シート部１４と、から構成されている。磁石１９は、開口部５の重なり部位７の全長を覆える長さの四角柱の棒状として、形成されて、保持シート部１４の後述する対向面部１５の相互の対向面１５ａの背面側に固着されている。
【００３０】
保持シート部１４は、相互に対向する対向面１５ａから連結部２１に連なる部位の対向面部１５と、対向面部１５の縁１６から相互に離隔するように延びて把持部１８を形成する把持形成部１７と、を備えて構成されている。第１実施形態の保持シート部１４は、側壁シート材２３と一体的に形成されている。
【００３１】
第１実施形態の封止構造Ｓを設けた収納スタンド１１では、使用時、まず、図５のＡ，Ｂに示すように、開口２２ａから収容体１を入れて、収納袋体２２に収容体１を収納する。この時、収納袋体２２の底部２２ｂ側のまち２５が楕円形状に膨らんで、まち２５の周囲の周壁、換言すれば、側壁シート材２３，２３の楕円筒状に開いた脚部２６、により、収納袋体２２が、収容体１を収納した状態で、載置面Ｇに載置しても自立できる収納スタンド１１として、使用することができる。
【００３２】
そして、図５のＣ，Ｄに示すように、収容体１のニップル部４の端末４ａ側を切除して、開口部５を開口させれば、開口部５から飲料水９を取り出すことができる。第１実施形態の場合、取手２７を把持して、開口部５側を下側に向けるように、収納袋体２２を傾ければ、飲料水９を開口部５からコップ等に注ぐことができる。
【００３３】
その後、開口部５を塞ぐ際には、図３の実線に示すように、開口部５の周壁を重ねて平らに展開させた重なり部位７を挟持するように、重なり部位７を間にして、面ファスナ部１２の一対の押圧面部１３の磁石１９相互を吸着させれば、収容体１の開口部５を、水密性を確保して、塞ぐことができる。すなわち、一対の押圧面部１３，１３が、開口部５の重なり部位７を挟持すれば、相互の対向面１９ａ，１９ａを平らにした磁石１９，１９相互を吸着させつつ、かつ、開口部５の重なり部位７を、全長にわたって挟持するように押圧することから、容易に、傾けた開口部５からの飲料水９の漏れを防止できる水密性を確保して、開口部５を塞ぐことができる。
【００３４】
また、コップ等に飲料水９を注ぐように、開口部５を開口させる際には、図３の二点鎖線に示すように、単に、吸着させた磁石１９，１９相互を離すように、把持部１８，１８を把持して引っ張れば、一対の押圧面部１３、１３を開口部５から外すことができて、容易に、開口部５を開口させることができ、取手２７を把持して、収納袋体２２を傾ければ、開口部５からコップ等に飲料水９を注ぐことができる。
【００３５】
そして、この封止構造Ｓでは、一対の押圧面部１３，１３が、分離不能に連結部２１としての収納袋体２２により連結されていることから、紛失され難く、面ファスナ部１２を便利に使用することができる。
【００３６】
したがって、第１実施形態の封止構造Ｓを設けた収納スタンド１１では、液状流体としての飲料水９を収容した収容体１の開口部５を、容易に、開口させ、かつ、漏れを防止可能な水密性を確保して、塞ぐことができる。
【００３７】
そして、第１実施形態では、連結部２１を、開口部５側を露出可能として、収容体１を収納可能な収納袋体２２から構成しており、さらに、収納袋体２２の底部２２ｂを、収容体１を収納した状態で、載置面Ｇに載置させて自立可能に、構成している。すなわち、収容体１の開口部５を面ファスナ部１２で塞ぎつつ、飲料水９を収容した収容体１を収納袋体２２に収納させた状態で、収納袋体２２を所定の載置面Ｇに自立させて載置できる。そのため、飲料水９を収容した収容体１が、可撓性を有した周壁２から形成されて、自立できない状態としていても、収納袋体２２を利用し、開口部５側を上部側に向けて、倒さずに、自立させておくことができ、開口部５からの不要な飲料水９の漏れを、防止することができる。
【００３８】
特に、第１実施形態では、収納袋体２２が、底部２２ｂ側にまち２５を設けて、開口部５側を除く外周縁を、相互に接着させた二枚のシート材（側壁シート材）２３，２３から、構成し、まち２５の周囲の周壁の下端側を、収容体１を収納した状態で載置面Ｇに載置する際に、載置面Ｇに当接支持される脚部２６、として形成されるように、構成されている。そのため、このような収納袋体２２では、まち２５を折り畳みつつ、二枚のシート材２３，２３を重ねれば、図５のＡに示すように、収納袋体２２を、平らにして、収納しておくことができて、コンパクトに収納することができる。
【００３９】
また、第１実施形態における面ファスナ部１２を有した収納袋体２２では、側部に取手２７が形成されており、一層、利便性良く、利用することができる。すなわち、例えば、飲料水９を開口部５からコップへ注ぐようにする際、取手２７を持って行うことができ、収納袋体２２としての収納スタンド１１を、液状流体としての飲料水９を貯めたポット、サーバ、やかん、つぼ等のように、便利に利用できる。
【００４０】
なお、第１実施形態の収納袋体２２は、底部２２ｂに、コンパクトに収納できるように、まち２５を設けて構成したが、底部２２ｂを載置面Ｇに載置させて自立できれば、図６に示す収納袋体２２Ａのように、まち２５を設けることなく、底部２２ｂ側を四角筒形状として、載置面Ｇに接する長方形状の底壁２２ｃを設けて、構成してもよい。
【００４１】
さらに、第１実施形態の封止構造Ｓでは、連結部２１を、収容体１を収納できる収納袋体２２から構成する場合を例示したが、図７〜９に示す第２実施形態のように、収容体１から離れつつ重なり部位７を覆う位置に、連結部４１を配置させるように構成すれば、この構造体を、一対の押圧面部１３，１３とともに、クリップ３１として使用することも可能となる。
【００４２】
すなわち、第２実施形態の封止構造Ｓを設けたこのクリップ３１では、第１実施形態の保持シート部１４における把持形成部１７，１７を、磁石１９を固着させた対向面部１５の下方側の縁１６から延びるように形成し、対向面部１５の把持形成部１７から離れた上側を、断面略逆Ｕ字状として、連結部４１に連なるように、形成している。
【００４３】
そして、このクリップ３１では、連結部４１を、開口部５の上方を覆う位置に配置させて、対向面部１５の対向面１５ａ相互を、開口部５の重なり部位７に対して、接触するように押し付けつつ、磁石１９，１９相互を吸着させれば、開口部５を、水密性を確保して、塞ぐことができる。
【００４４】
また、このクリップ３１では、開口部５を塞いだ後、把持部１８，１８を引っ張って、磁石１９，１９相互を離せば、開口部５を開口させることができる。
【００４５】
勿論、このクリップ３１では、連結部４１を備えており、一対の押圧面部１３，１３が、分離不能に連結されていることから、紛失され難く、面ファスナ部１２を便利に使用することができる。
【００４６】
なお、第１，２実施形態の封止構造Ｓでは、一対の押圧面部１３，１３を、それぞれ、磁石１９と、磁石１９を固着させたシート状の保持シート部１４と、から構成し、保持シート部１４を、相互に対向する対向面１５ａから連結部２１，４１に連なる部位の対向面部１５と、対向面部１５の縁１６から延びて把持部１８を形成する把持形成部１７と、を設けて構成し、そして、磁石１９を、対向面部１５における対向面１５ａの背面側に、固着させている。
【００４７】
このような構成では、保持シート部１４の対向面部１５，１５が、開口部５の重なり部位７に対して、直接、接触しつつ、対向面部１５の背面側の磁石１９の磁力を利用して、押圧でき、磁石１９に比べて、広い面積で平面度を確保した状態で、開口部５の重なり部位７を押圧できて、安定した水密性を確保できる。また、把持形成部１７からなる把持部１８を把持して、吸着状態の磁石１９，１９相互を離す際、磁石１９の周囲の対向面部１５における縁１６側の部位から、順次、離すことができて、磁石１９が強力な磁力を有していても、円滑に、磁石１９とともに、一対の押圧面部１３，１３を相互に離して、収容体１の開口部５を開口させることができる。
【００４８】
ちなみに、この点を考慮しなければ、図１０に示すように、対向面部１５，１５の対向面１５ａ側に磁石１９を固着させて、磁石１９，１９相互の吸着時、磁石１９の対向面１９ａ自体を、直接、開口部５の重なり部位７に接触させて、開口部５を塞いでもよい。勿論、磁石１９の対向面１９ａを、直接、重なり部位７に接触させる構成は、クリップ３１の封止構造Ｓだけでなく、第１実施形態の収納袋体２２（連結部２１）に設けた封止構造Ｓに、適用してもよい。
【００４９】
なお、開口部５の重なり部位７に、直接、磁石１９が接触する場合には、水密性を確保するため、相互の対向面１９ａを平らにする必要があるが、第１，２実施形態のように、重なり部位７に対して、対向面部１５の対向面１５ａが接触する場合には、対向面１５ａ，１５ａが、相互に平らとなって、水密性を確保して重なり部位７を挟持できれば、磁石１９，１９相互の対向面１９ａは、相互に略平行で、かつ、略平らであれば、若干の凹凸があってもよい。
【００５０】
そして、磁石１９，１９の形状は、相互の吸着時、水密性を確保して重なり部位７を挟持できれば、断面四角形の棒状ばかりで無く、断面三角形、断面楕円柱等の種々の形状のものを採用でき、さらに、相互に同形状としていなくともよい。
【符号の説明】
【００５１】
１…収容体、
２…（収容体の）周壁、
５…開口部、
７…重なり部位、
９…（液状流体）飲料水、
１２…面ファスナ部、
１３…押圧面部、
１４…保持シート部、
１５…対向面部、
１７…把持形成部、
１８…把持部、
１９…磁石、
２１，４１…連結部、
２２…収納袋体、
２２ｂ…（収納袋体の）底部、
２３…（側壁）シート材、
２５…まち、
２６…脚部、
２７…取手、
３１…クリップ、
Ｓ…封止構造、
Ｇ…載置面。
【図１】
0003189003.tif 000003
【図２】
0003189003.tif 000004
【図３】
0003189003.tif 000005
【図４】
0003189003.tif 000006
【図５】
0003189003.tif 000007
【図６】
0003189003.tif 000008
【図７】
0003189003.tif 000009
【図８】
0003189003.tif 000010
【図９】
0003189003.tif 000011
【図１０】
0003189003.tif 000012